(57)【要約】      （修正有）【課題】十分な浮力を有するとともに、身体のいかなる動きにも追従して着心地のよさを実現でき、手で掴んだときも持ちやすくすることができる釣り用の上着を提供する。【解決手段】釣り用の上着１は、少なくとも前身頃２及び後身頃３を有する上着本体１ａと、上着本体の内部に着脱可能に収容されている浮力材と、浮力材を形成している多数の球形状の浮力材料（ポリスチレン）及び浮力材料を収容する袋体とを備えている。【選択図】図１
0003222517.tif 000002
【実用新案登録請求の範囲】
【請求項１】
少なくとも前身頃及び後身頃を有する上着本体と、
該上着本体の内部に収容されている浮力材と、
該浮力材を形成している多数の球形状の浮力材料及び該浮力材料を収容する袋体とを備えたことを特徴とする釣り用の上着。
【請求項２】
前記浮力材料は、ポリスチレンであることを特徴とする請求項１に記載の釣り用の上着。
【請求項３】
前記袋体は、内部での前記浮力材料の移動を制限するための仕切りを有することを特徴とする請求項１に記載の釣り用の上着。
【請求項４】
前記浮力材は、前記上着本体に対して着脱可能であることを特徴とする請求項１に記載の釣り用の上着。
【請求項５】
前記上着本体は肩を覆う肩ベルトを有し、
前記浮力材は前記肩ベルト内部に収容されていることを特徴とする請求項１に記載の釣り用の上着。
【請求項６】
前記上着本体は肩を覆う肩ベルト及び腰を覆う腰当てを有し、
前記肩ベルト及び前記腰当ての内部には、板形状の浮力材料が収容されていることを特徴とする請求項１に記載の釣り用の上着。
【考案の詳細な説明】
【技術分野】
【０００１】
本考案は、上着内部に浮力材が配されている釣り用の上着に関するものである。
【背景技術】
【０００２】
一般に、この種の釣り用の上着は、フローティングベストあるいはフィッシングベストと称され、袖のないものが多い。この上着は、上着内部に浮力材を含むことから厚みがあり、釣り用の小物を入れるためのポケットを複数含んでいる。釣り人の多くは、ルアーなどの小物をケースの中に入れ、その小物を収納したケースをポケットの中に入れる。ここでは、ケースをルアーケースと総称するが、ルアーを入れるほか、はさみや重りといった釣り用の他の小物を入れる場合もある。主要なポケットは、上着本体の前身頃の前面に位置している。
【０００３】
一方で、上着内部に配された浮力材としては、発泡プラスチックからなる板状のものが知られている（例えば特許文献１参照）。発泡プラスチックとしては、ポリエチレン、ポリウレタン、ポリスチレン、ポリプロピレン、あるいはＥＶＡ等が知られている。
【先行技術文献】
【特許文献】
【０００４】
【特許文献１】特開２０００−８２０５号公報
【考案の概要】
【考案が解決しようとする課題】
【０００５】
しかしながら、浮力材が板状であると、身体を屈曲させた際に追従性を持たせるために薄く加工してこれを何枚も重ねる必要があった。このように工夫したとしても、身体の動きは様々であるため、全ての動きに追従することは困難であった。そして釣り人は上着を脱いだ際にはこの上着を手で掴むが、このときも板状の浮力材であると持ちにくいという問題もあった。
【０００６】
本考案は、上記従来技術を考慮したものであり、十分な浮力を有するとともに、身体のいかなる動きにも追従して着心地のよさを実現でき、手で掴んだときも持ちやすくすることができる釣り用の上着を提供することを目的とする。
【課題を解決するための手段】
【０００７】
前記目的を達成するため、本考案では、少なくとも前身頃及び後身頃を有する上着本体と、該上着本体の内部に収容されている浮力材と、該浮力材を形成している多数の球形状の浮力材料及び該浮力材料を収容する袋体とを備えたことを特徴とする釣り用の上着を提供する。
【０００８】
好ましくは、前記浮力材料は、ポリスチレンである。
【０００９】
好ましくは、前記袋体は、内部での前記浮力材料の移動を制限するための仕切りを有する。
【００１０】
好ましくは、前記浮力材は、前記上着本体に対して着脱可能である。
【００１１】
好ましくは、前記上着本体は肩を覆う肩ベルトを有し、前記浮力材は前記肩ベルト内部に収容されている。
【００１２】
好ましくは、前記上着本体は肩を覆う肩ベルト及び腰を覆う腰当てを有し、前記肩ベルト及び前記腰当ての内部には、板形状の浮力材料が収容されている。
【考案の効果】
【００１３】
本考案によれば、上着を形成する前身頃及び後身頃に対して多数の球形状からなる浮力材料が浮力材として収容されているので、十分な浮力を有するとともに、身体のいかなる動きにも追従して着心地のよさを実現でき、手で掴んだときも持ちやすくすることができる。
【００１４】
また、浮力材料をポリスチレンとすることで、他の発泡プラスチックに比して確かな浮力を長時間得られることを出願人は確認している。
【００１５】
また、袋体に仕切りを設けることで、浮力材料が袋体内で必要以上にその場から移動してしまうことを抑制でき、常に所定量の浮力材料を袋体内に満遍なく配することができる。
【００１６】
また、浮力材を上着本体から着脱可能とすることで、上着本体を洗濯するときなど、上着本体を水中に浸漬させたいときに浮力材を取り外してこれを実現することができる。
【００１７】
また、上着本体が有する肩ベルト内部にも浮力材を収容することで、確実な浮力を釣り人に与えることができる。
【００１８】
一方で、肩ベルトと腰当て内には板形状の浮力材料を収容してもよい。前身頃と後身頃の内部に球形状の浮力材料を用い、肩ベルトと腰当ての内部に板形状の浮力材料を用いるような組み合わせであると、利用者に心地よい着心地を与えることができるので好ましい。
【図面の簡単な説明】
【００１９】
【図１】本考案に係る釣り用の上着の概略正面図である。
【図２】本考案に係る釣り用上着の概略背面図である。
【図３】本考案に係る釣り用上着の内側を示す概略展開図である。
【図４】浮力材料の概略図である。
【図５】浮力材の概略図である。
【図６】袋体の別の例を示す概略図である。
【考案を実施するための形態】
【００２０】
図１〜図３に示すように、本考案に係る釣り用の上着１は袖のないベストのタイプであり、少なくとも釣り人がこの釣り用上着１を着用した際に釣り人の前面（身体の表面）を覆う前身頃２、及び後面（身体の裏（背中）面）を覆う後身頃３を有している。すなわち、釣り用上着１を形成している上着本体１ａは、少なくとも前身頃２及び後身頃３を有している。なお、前身頃２は左右に二分割可能であり、釣り人が着用した際はバックルやファスナ等の留め具５にて互いに連結されている。
【００２１】
前身頃２と後身頃３とは連結ベルト６にて互いに連結されている。釣り人はこの連結ベルト６の長さを調節することで、自己の身体に上着本体１ａをフィットさせることができる。なお、図では連結ベルト６にバックルを用いた例を示したが、バックルがないタイプもある。また、図３を参照すれば明らかなように、後身頃３からは釣り人の肩を覆う肩ベルト７が延びている。この肩ベルト７と前身頃２とは長さ調節可能な連結ベルト８にて互いに接続されている。釣り人はこの連結ベルト８の長さを調節することで、自己の身体に上着本体１ａをフィットさせることができる。なお、図の例では、後身頃３の下端の腰回り部分に腰パッド１０が配されている。この腰パッド１０の内部には、後述する浮力材４が収容され、釣り人の腰を保護するともに、付属するベルト通しによってウエストベルトを支持する働きをしている。
【００２２】
このような上着本体１ａは、多数のポケットを備えている。ポケットは、デザインを考慮し、前身頃２と後身頃３とに適正に分散して配置されている。前身頃２には、腹周りに四角いポケット９ａ、その上の胸周りに握り形状の小ポケット９ｂがそれぞれある。また、後身頃３には、背中の真ん中に正方形形状の大ポケット９ｃ、その下に長方形形状の小型のポケット９ｄがある。
【００２３】
前身頃２、後身頃３の内部には、図４に示すような浮力材４が収容されている。浮力材４が収容される部分は、図１〜３では格子状のハッチング部分にて示している。この浮力材４は、外見は袋状の袋体１１を有している。そしてこの袋体１１内には、図５に示すような多数の球形状（ビーズ状）の浮力材料１２が収容されている。すなわち、浮力材４は浮力材料１２と袋体１１により形成されている。
【００２４】
なお、腰ベルト１４に取り付けられる腰当て１５（ハッチングは図２のみ記載）内には、球形状の浮力材料１２ではなく、板形状の浮力材料（ポリエチレン又はクロロプレン）を用いることが好ましい。また、肩ベルト７内も同様に板形状の浮力材料を用いることが好ましい。この腰や肩部分というのは厚みによる不快感が生じる可能性があるため、厚みが一定に保たれる板形状の方が不快感を利用者に与えることが抑制されるからである。すなわち、前身頃２と後身頃３の内部に球形状の浮力材料１２を用い、肩ベルト７と腰当て１５の内部に板形状の浮力材料を用いるような組み合わせであると、利用者に心地よい着心地を与えることができるので好ましい。なお、腰当て１５は上着本体１ａが有するものであるが、上着本体１ａと一体でもよいし別体でもよい。利用者の腰の部分を覆うように位置していれば腰当て１５となる。この腰当て１５がないタイプの釣り用上着１も存在する。板形状の浮力材料を用いる場合は、袋体１１に収容しなくてもよい。もちろん、肩ベルト７及び腰当て１５内にビーズ状の浮力材料１２を浮力体４として収容することも可能である。
【００２５】
このように、本考案にかかる釣り用の上着１は、上着本体１ａを形成する前身頃２及び後身頃３（さらに肩パッド７）に対して多数の球形状からなる浮力材料１２が浮力材４として収容されているので、十分な浮力を有するとともに、身体のいかなる動きにも追従して上着としての着心地のよさを実現できる。さらに上着本体１ａを手で掴んだときも、手の把持部分に浮力材料１２が追従するので持ちやすくすることができる。特に多数の球形状の浮力材料１２を用いることで、浮力材料１２間にも空気を含めることができ、確かな浮力を得ることができる。
【００２６】
浮力材料１２としては、ポリスチレン（球形状の発泡性ポリスチレン）を使用することが好ましい。浮力材料１２をポリスチレンとすることで、他の発泡プラスチックに比して確かな浮力を長時間得られることを出願人は確認している。特にポリスチレンは軽量であるため、長時間釣りを楽しむ釣り人にとっては重みをそれほど感じさせることがなく、好ましいといえる。
【００２７】
このような多数の球形状の浮力材料１２を袋体１１に収容することで、取り扱い性が向上している。例えば、浮力材４は、上着本体１ａに対して着脱可能である。少なくとも、特に大きな容積を占める前身頃２及び後身頃３からは取外し可能である。この着脱は、例えば取り出し用のファスナ等を設けることで実現できる。このように、浮力材４を上着本体１ａから着脱可能とすることで、上着本体１ａを洗濯するときなど、上着本体１ａを水中に浸漬させたいときに浮力材４を取り外してこれを実現することができる。
【００２８】
図６に示すように、袋体１１にはミシン目等の仕切り１３を設け、エリア分割してもよい。この仕切り１３は、袋体１１の内部での浮力材料１２の移動を制限するためのものである。このように袋体１１に仕切り１３を設けることで、浮力材料１２が袋体１１内で必要以上にその場から移動してしまうことを抑制でき、常に所定量の浮力材料１２を袋体１１内に満遍なく配することができる。このように袋体１１内に満遍なく浮力材料１２があることは、釣り人にとって心地よい着心地を与えることができる。仕切り１３はミシン目のようにある程度の間隔を存していてもよいし、完全に分割するような構成でもよい。
【符号の説明】
【００２９】
１：釣り用の上着、１ａ：上着本体、２：前身頃、３：後身頃、４：浮力材、５：留め具、６：連結ベルト、７：肩ベルト、８：連結ベルト、９ａ：四角いポケット、９ｂ：小ポケット、９ｃ：大ポケット、９ｄ：小型のポケット、１０：腰パッド、１１：袋体、１２：浮力材料、１３：仕切り、１４：腰ベルト、１５：腰当て
【図１】
0003222517.tif 000003
【図２】
0003222517.tif 000004
【図３】
0003222517.tif 000005
【図４】
0003222517.tif 000006
【図５】
0003222517.tif 000007
【図６】
0003222517.tif 000008
【手続補正書】
【提出日】令和1年6月4日(2019.6.4)
【手続補正１】
【補正対象書類名】実用新案登録請求の範囲
【補正対象項目名】全文
【補正方法】変更
【補正の内容】
【実用新案登録請求の範囲】
【請求項１】
少なくとも前身頃及び後身頃を有する上着本体と、
前記前身頃及び後身頃の内部に収容されている浮力材と、
該浮力材を形成している多数の球形状の浮力材料及び該浮力材料を収容する袋体とを備えたことを特徴とする釣り用の上着。
【請求項２】
前記浮力材料は、ポリスチレンであることを特徴とする請求項１に記載の釣り用の上着。
【請求項３】
前記袋体は、内部での前記浮力材料の移動を制限するための仕切りを有することを特徴とする請求項１に記載の釣り用の上着。
【請求項４】
前記浮力材は、前記上着本体に対して着脱可能であることを特徴とする請求項１に記載の釣り用の上着。
【請求項５】
前記上着本体は肩を覆う肩ベルトを有し、
前記浮力材は前記肩ベルト内部に収容されていることを特徴とする請求項１に記載の釣り用の上着。
【請求項６】
前記上着本体は肩を覆う肩ベルト及び腰を覆う腰当てを有し、
前記肩ベルト及び前記腰当ての内部には、板形状の浮力材料が収容されていることを特徴とする請求項１に記載の釣り用の上着。